(57)【特許請求の範囲】
【請求項１】
所定欄に特定のマークが記入された集計用紙を複数枚載置し、これを１枚ずつ繰出す繰出し手段と、
この繰出し手段によって繰出された前記集計用紙の前記特定のマーク記入欄を読取る読取手段と、
前記特定のマークを認識するための基準となる基準パターンを記憶する第１の記憶手段と、
前記特定のマークの受け付けレベルを予め設定するレベル設定手段と、
このレベル設定手段の設定内容を記憶する第２の記憶手段と、
前記読取手段により読取られたマーク記入欄から、記入された前記特定マークを前記第１の記憶手段の記憶内容に基づいて認識するとともに、前記第２の記憶手段の記憶内容に基づき前記特定マークが有効か無効かを判定する判定手段と、この判定手段の判定結果に基づき前記集計用紙の記入内容の集計を行う計数手段と、
を備えたことを特徴とする集計用紙計数仕分機。
【請求項２】
前記レベル設定手段は、予め予想される共通の不正確な特徴を有するマーク群毎に表示し、受け付けるか否かの設定を行うものであることを特徴とする請求項１に記載の集計用紙計数仕分機。
【請求項３】
計数後の前記集計用紙を積載する複数のスタッカと、
前記判定手段の認識結果に基づき集計用紙を複数のスタッカへ仕分けするとともに計数する制御手段とをさらに備えたことを特徴とする請求項１または２に記載の集計用紙計数仕分機。
【請求項４】
複数の裁判官名に対応して罷免マーク記入欄を有する投票用紙を複数枚載置し、これを１枚ずつ繰出す繰出し手段と、
この繰出し手段によって繰出された前記投票用紙の前記罷免マーク記入欄を読取る読取手段と、
前記罷免マークの受け付けレベルを予め設定するレベル設定手段と、
このレベル設定手段の設定内容を記憶するレベル記憶手段と、
前記読取手段により読取られた罷免マーク記入欄から記入された罷免マークを認識し、かつ前記レベル記憶手段の記憶内容を参照して罷免マークが有効か無効かを判定する判定手段と、
この判定手段の判定結果に基づき前記複数の裁判官毎に有効罷免マークを計数する計数手段とを備えたことを特徴とする投票用紙計数仕分機。
【請求項５】
計数後の前記集計用紙を積載する複数のスタッカと、
前記判定手段の認識結果に基づき投票用紙を複数のスタッカへ仕分けするとともに計数する制御手段とを備えたことを特徴とする請求項４に記載の投票用紙計数仕分機。
【請求項６】
前記制御手段は罷免マークの数によって分類して前記複数のスタッカへ仕分けするものであることを特徴とする請求項５に記載の投票用紙計数仕分機。
【発明の詳細な説明】
【０００１】
【発明の属する技術分野】
本発明は、集計用紙計数仕分機および投票用紙計数仕分機に関するものであり、特にアンケート用紙の集計や最高裁判所の裁判官を罷免するか否かを審査する国民審査における開票作業に使用されるものである。
【０００２】
【従来の技術】
従来、最高裁判所の裁判官に対する国民審査が行なわれた後の開票結果の集計は、国民審査終了後、多数の集計人により投票用紙を１枚１枚読取って、罷免マーク、即ち×マークの数によりまず投票用紙を仕分けし、その後、×マークの数毎に投票用紙を１枚１枚読取り、各裁判官毎に集計を行っていた。この場合、いろいろな集計方法が考えられているが、効率化のため、裁判官全員に×マークがついているもの（以下、全×という）や、×マークが１つもついていないもの（以下、全白という）については、それらを区別して集めてから、計数機により集計することが行われている。
【０００３】
【発明が解決しようとする課題】
しかしながら、投票用紙を×マークの数毎に手作業で分類するという作業は煩雑であり、特に×マーク数が複数ある票については、どの裁判官に×マークがついているかを１枚毎に確認して計数を行わなければならず、非常に手間がかかるという問題があった。このような国民審査に関する集計を自動的に行なう装置は、従来存在しなかった。
【０００４】
一方、記入される×マークは記入者のくせにより種々のものがあり、判定に苦慮するような場合も頻繁に生じている。
【０００５】
典型的な例のいくつかを図２３に示す。この図においては×マークを記入すべきときに実際に記入された例を示すもので、第１行に記載された第１群は大きさや交差線の角度が異なるものの誰が見ても×と認識できる程度のものであり、有効な×マークとして扱われる。また、第３行に記載された第３群は誰が見ても×印とは認められないものであり、無効として扱われる。
【０００６】
しかしながら、第２行に記載された第２群については、×マークを付けようとした投票者の意思は伝わるものの、交差が不完全であったり、余分な線が残っていたりするため、これを有効票として扱うかどうかについては見る人（開票人）により判断が分かれる可能性のあるものであり、一般的には無効となって投票数に算入されないことが多かった。
【０００７】
しかしながら、国民審査のような重要な手続においては投票者の意思を最大限汲み上げることが必要であるにもかかわらず、投票結果に国民の意思が反映されないことは不合理であるという問題がある。
【０００８】
また、各種のアンケート等の集計においても同様に所定欄に手書きで記入された各種のマークを読み取って集計を行う必要がある。集計の精度を上げるためには必ずしも正確に記入されなかったマークを読みとる必要があったが、従来は読み取り基準が画一的で境界領域の記入マークについては集計することができないという問題がある。
【０００９】
本発明は上記点に鑑みなされたもので、集計用紙や国民審査の投票用紙の集計を迅速に行なうことのできる集計用紙計数仕分け機および投票用紙計数仕分機を提供することを目的とする。
【００１０】
【課題を解決するための手段】
本発明にかかる集計用紙計数仕分機は、
定欄に特定のマークが記入された集計用紙を複数枚載置し、これを１枚ずつ繰出す繰出し手段と、
この繰出し手段によって繰出された前記集計用紙の前記特定のマーク記入欄を読取る読取手段と、
前記特定のマークを認識するための基準となる基準パターンを記憶する第１の記憶手段と、
前記特定のマークの受け付けレベルを予め設定するレベル設定手段と、
このレベル設定手段の設定内容を記憶する第２の記憶手段と、
前記読取手段により読取られたマーク記入欄から、記入された前記特定マークを前記第１の記憶手段の記憶内容に基づいて認識するとともに、前記第２の記憶手段の記憶内容に基づき前記特定マークが有効か無効かを判定する判定手段と、この判定手段の判定結果に基づき前記集計用紙の記入内容の集計を行う計数手段と、
を備えたことを特徴とするものである。
【００１１】
前記レベル設定手段は、予め予想される共通の不正確な特徴を有するマーク群毎に表示し、受け付けるか否かの設定を行うものであると良い。
【００１２】
また、集計用紙計数仕分機は計数後の前記集計用紙を積載する複数のスタッカと、前記判定手段の認識結果に基づき集計用紙を複数のスタッカへ仕分けするとともに計数する制御手段とをさらに備えることが好ましい。
【００１３】
さらに、本発明にかかる投票用紙計数仕分機によれば、複数の裁判官名に対応して罷免マーク記入欄を有する投票用紙を複数枚載置し、これを１枚ずつ繰出す繰出し手段と、
この繰出し手段によって繰出された前記投票用紙の前記罷免マーク記入欄を読取る読取手段と、
前記罷免マークの受け付けレベルを予め設定するレベル設定手段と、
このレベル設定手段の設定内容を記憶するレベル記憶手段と、
前記読取手段により読取られた罷免マーク記入欄から記入された罷免マークを認識し、かつ前記レベル記憶手段の記憶内容を参照して罷免マークが有効か無効かを判定する判定手段と、
この判定手段の判定結果に基づき前記複数の裁判官毎に有効罷免マークを計数する計数手段とを備えたことを特徴とする。
【００１４】
計数後の前記集計用紙を積載する複数のスタッカと、前記判定手段の認識結果に基づき投票用紙を複数のスタッカへ仕分けするとともに計数する制御手段とを備えると良い。
【００１５】
前記制御手段は罷免マークの数によって分類して前記複数のスタッカへ仕分けするものであることが好ましい。
【００１６】
【発明の実施の形態】
以下、図面を参照して本発明の実施の形態を説明する。ここでは最高裁判所裁判官の国民審査に用いられる、投票用紙の集計を行う投票用紙計数仕分機の場合を例にとって説明する。
【００１７】
図１は本発明の実施の一形態にかかる投票用紙計数仕分機の外観を示す斜視図である。
【００１８】
本体１の正面上部には液晶表示部２、スタート／ストップキー３、ファンクションキー４からなる操作パネルが設けられており、正面左側には、左側面に取り付けられるスタッカ７に対応した位置にスタッカ番号を表示するＬＥＤ表示器５が設けられている。また、本体右側面にはホッパ部６が設けられている。このホッパは例えば５００枚の容量を有している。仕分けされる投票用紙はホッパ部６に載置され、仕分けされてスタッカ部７に収納される。スタッカ部７は４段のスタッカ７−１、７−２、７−３、７−４よりなっており、最下段（実施の形態では４段目）は無効票や読取不能票などのリジェクト専用となっている。
【００１９】
図２（ａ）は図１における操作パネルの詳細を表す正面図であり、数字、記号等を表示する例えば３２０×２４０ドットの液晶表示部２、処理の開始および停止を指示するためのスタート／ストップキー３、必要なファンクション指定を行うＦ１〜Ｆ３の３つのキーからなるファンクションキー４が示されている。このファンクションキーの状態は液晶表示部２の右下にあるファンクションキー内容表示欄２ａに表示される。
【００２０】
図２（ｂ）は図１における液晶表示部等が設けられた正面パネルを開いたときにその裏面に現れるテンキーパッド８を示している。このテンキーパッド８には０から９までの数字を指定するテンキー、設定された数値の入力を確定させる「入力」キー、設定した数値や処理データを取り消すための「クリア」キー、後述する各モードの切換を行う「モード」キー、バッチ枚数の設定切換を行うときに使用する「バッチ」キー、加算のオンオフを行う「加算」キー、ユーザ設定に移行するための「設定」キーが設けられている。
【００２１】
図３は本発明にかかる投票用紙計数仕分機のモード遷移の様子を示すフローチャートである。このフローチャートに示されるように、「モード」キーを押すたびに「国民審査・集計モード」、「国民審査・分類１モード」、「国民審査・分類２モード」、「選挙・分類モード」、「計数モード」のように遷移する。「国民審査・集計モード」は通常の集計に用いられるものであり、「国民審査・分類１モード」は×の数が１の投票用紙を裁判官別に分類するものであり、「国民審査・分類２モード」は×の数により投票用紙を分類するものである。これらは集計モード終了後に行うことにより現行の手作業の代わって迅速な分類を可能にするモードであり、「選挙・分類モード」は選挙の際使用するモードであって、特願平７−２２２２６７号として出願されている内容である。なお、電源投入時には「国民審査・集計モード」になるように設定されている。
【００２２】
「設定」キーを押すことにより、予め決められた番号をテンキーから入力することにより各種のユーザ設定が可能となる。例えば、番号「００」ではレイアウト登録、番号「０１」では枠とスタッカとの順序の変更、「０２」では識別レベルの変更、「０３」ではモード遷移におけるモードのスキップ等を行うことができる。
【００２３】
図４は本発明にかかる投票用紙計数仕分機にかけられる国民審査用の投票用紙を示す図である。予め裁判官の名前が印刷された欄の上の欄が×印を書く欄となっている。
【００２４】
図５は本発明の実施の一形態における全体の内部構成を示す説明図である。
【００２５】
この投票用紙計数仕分機１は繰出部１１、読取部１２、判定部１３、分類部１４、制御部１５を有している。
【００２６】
繰出部１１には繰出しのためのキッカローラ１０３および搬送モータ１１０で駆動される送りローラ１０５を有しており、国民審査投票用紙、あるいは選挙の投票用紙（以下、単に投票用紙という）を繰り出すためにホッパ６が機外に突出するよう取り付けられている。
【００２７】
読取部１２はセンサユニット１２１を有しており、その上部にはエリアセンサ１２２が設けられ、このセンサユニットの下に来た投票用紙の全体を読み取る。センサＳ３は繰出しを行うためのセンサである。
【００２８】
判定部１３は主に電子回路からなり、読取部で読み取られた投票用紙のイメージから、国民審査の場合には有権者が付けた×マークがどの裁判官に付けられたものであるかを認識し、有効無効を判定する。
【００２９】
分類部１４は複数の分岐通路を備えており、判定部１３での認識結果に基づき、振り分けセンサＳ４に投票用紙が来た時点で分岐を制御し、該当するスタッカへ投票用紙を送るようになっている。
【００３０】
制御部１５は全体の制御および計数を行う。本装置では、制御部の制御のもとで、投票用紙の枠を予め学習する機能、すなわち、予め、裁判官の人数分の欄が印刷された登録用の用紙により、×印の読取り位置を学習させて記憶させておく機能や、枠とスタッカとの対応や、×数とスタッカとの対応を変更する機能等が実現されている。このため、本発明の第１の記憶手段に相当する第１の記憶領域１５２ａおよび本発明の第２の記憶手段に相当する第２の記憶領域１５２ｂを有するメモリ１５２、および本発明におけるレベル設定手段および計数手段に相当する機能等を有するＣＰＵ１５１を含んでいる。
【００３１】
図６は繰出部１１における構成の詳細を示す概略正面図、図７はその概略平面図である。ゴムローラで構成されるキッカローラ１０３はステッピングモータ１０１でベルト１０２により駆動される。搬送モータ１１０によりタイミングベルト１１１および搬送ベルト１０８を介して駆動される送りローラ１０５はキッカローラ１０３で取り込まれた投票用紙を搬送ベルト１０８と共に搬送する。この際、逆転ローラ１０６との共働により、２枚送りが阻止される。なお、搬送ベルト１０８は繰出しベルト１０４よりも高速に駆動されている。これを可能にするため、搬送ベルト１０８のプーリーと軸、および送りローラ１０５の軸と送りローラ、プーリーはそれぞれ固定されているのに対し、繰出しベルト１０４の送りローラ１０５側のプーリーにはベアリングが装着されて回転フリーとなっている。またベアリングにより回転フリーに取り付けられた増速ローラ１０７が設けられており、前述した速度差を吸収するようにしている。
【００３２】
センサＳ１は繰り出すべき投票用紙が存在していることを検知するセンサである。また、センサＳ２はセンサユニット１２１に投票用紙が入ったことを検知するとともに、投票用紙の長さを測定するためのセンサである。すなわち、このセンサＳ２を投票用紙が通過している間ロータリエンコーダ１０９のパルスが計数されており、このパルス数により投票用紙の長さがわかる。このセンサＳ２の出力が遮光によりオフとなった後時間ｔ１後に繰出しモータ１０１の回転が停止され、センサＳ２がオンとなった後時間ｔ２後に繰出しモータ１０１を回転させるようにしているが、ｔ１およびｔ２の値を投票用紙の長さに応じて変化させると、特に短手長さが多様な投票用紙の繰出しの処理速度を上げることができる。なお、１枚目の投票用紙の長さに基づき、上記繰出しモータ１０１のディレイの値ｔ１、ｔ２が予め記憶された値に自動的に設定される。
【００３３】
次にこの実施の形態における動作を詳細に説明する。本実施の形態にかかる投票用紙計数仕分機は前述したように５つのモードを有しているが、計数モードは単に計数を行うだけのモードであり、選挙分類モードは同一出願人の出願にかかる特願平７−２２２２６７号に詳述されているのでここでは省略する。
【００３４】
図８は本発明の実施の一形態にかかる投票用紙計数仕分機における設定操作の詳細を示すフローチャートである。
【００３５】
まず、操作部のテンキーパッド８の「設定」キーを押して設定モードに入る（ステップＳ１０１）。ここでテンキーより予めレイアウトモードとして用意された番号、例えば「００」を入力し、「入力」キーを押すとレイアウト登録モードに移行する（ステップＳ１０２）。
【００３６】
レイアウトの登録を行うには、登録用投票用紙、すなわち未記入で線幅が１ｍｍ以上のものをホッパに載せ（ステップＳ１０３）、スタート釦を押下する（ステップＳ１０４）。なお、登録用投票用紙の線が細い場合には適当な筆記用具を用いて太くしておく必要がある。登録用投票用紙の取り込みとともに枠レイアウトが認識され、その認識結果は、記憶装置の専用の領域に記憶され、登録される（ステップＳ１０５）。この認識にはニューラルネットワークを応用した認識技術、例えば特開平５−３２４８３７号に記載された技術を用いることができる。
【００３７】
なお、ここでは実際の投票用紙を用いたが、実際の投票用紙を用いることなく、枠の数と寸法、余白の長さ等をテンキーを用いて入力し、レイアウトを登録することもできる。
【００３８】
次に、テンキーより予め枠とスタッカとの順序の変更モードとして用意された番号、例えば「０１」を入力し、「入力」キーを押すと枠とスタッカとの順序の変更モードに移行する（ステップＳ１０６）。
【００３９】
このモードでは、投票用紙における枠の順番（左端の欄から順に１，２，３…（表示は裁判官Ａ，Ｂ，Ｃ，…））とスタッカの順序の対応を変更する。対応をテンキー等で入力して設定キー押す（ステップＳ１０７）と、この設定内容が記憶装置中の専用の第１の記憶領域１５２ａに記憶される（ステップＳ１０８）。
【００４０】
なお、このような入力を行わない場合には投票用紙の枠の右側から１，２，３，４・・と定義され、スタッカの上から順に番号が付けられた１，２，３，４・・・に対応することになる。また、投票用紙の枠が４以上ある場合にはスタッカ４に４番目以降のすべての枠が対応させられる。
【００４１】
また、枠とスタッカの順序の対応を変える場合には次のように行う。この設定は、基本的にスタッカ位置を基準に枠が当てはめられる。すなわち、順序変更モードに移行した場合、まずスタッカ１に設定されている枠番号が表示される。通常の登録では１、すなわち一番右の枠であることが、液晶表示器上に「スタッカ１＝１」として表示される。ここでは枠の３番目をスタッカ１に対応させるものとすれば、テンキーより３を入力し、「設定」キーを押すと、表示は１＝３となり、枠３がスタッカ１に対応したことがわかる。
【００４２】
次にスタッカ２の設定に移るには別途キーを押すとこれまでの登録内容が表示されるので、上述の説明と同様の手順により必要に応じて設定内容の変更を行うことができる。
【００４３】
すべてのスタッカについての設定が完了した場合には「登録」キーを押すとこれまでの設定内容が記憶装置中の第３の記憶領域１５２ｃに記憶され、順序変更モードから抜ける。そして、再度「登録」キーを押すと設定モードから抜ける。
【００４４】
なお、ここでは枠の順序とスタッカの順序の対応について説明したが、他の設定モード番号を入力することにより、×数の数とスタッカの順序との対応についてもほぼ同種の操作について設定できるようになっている。
【００４５】
次に、テンキーより例えば「０２」を入力すると、次のステップ１０９で手書きマークに対する識別レベル設定モードに移行し、液晶表示部２には図９に示すような画面が表示される。この画面は判定上難点のある手書きマーク群の特徴ごとに受け付けるか、排除するかを設定するためのものである。
【００４６】
図９に示された例では、過去のデータの蓄積より分類されたマーク群を図示している。第１行のマーク群は斜め線の１本は正常であるが、他の斜め線は半分しか存在せず、完全な交差をしていない場合、第２行のマーク群は２本の線の交差は認められるものの、２本の斜め線の長さが極端に異なっている場合、第３行のマーク群は２本の斜め線の交差位置が中心位置より大きくずれている場合、第４行のマーク群は２本の斜め線を連続して書いた結果、連続線となった場合、第５行のマーク群は第４行の場合と同じく手書きの特性上斜め線の一部にヒゲが残ってしまった場合をそれぞれ示している。
【００４７】
図９では「受付」と「ＲＪ」（リジェクト）のいずれかにアンダーラインが表示され、選択結果が表示される。設定を変更できる部分は反転表示され、矢印キーでその位置を変更することができる。これらはデフォルトではすべて「ＲＪ」とすることができる。
【００４８】
図９の例においては、第１行ではすでに「ＲＪ」が登録されているが、ファンクションキーのＦ１またはＦ２により操作される矢印キーで反転表示を「受付」側に変えることができ、他の設定項目にも同様の設定を行い、最後に「入力」キーを押すことにより（ステップＳ１１０）、記憶装置中の第２の記憶領域１５２ｂに各設定を記憶し、登録することができる（ステップＳ１１１）。
【００４９】
なお、操作部では他の各種設定も行うことができる。単なる計数を行う計数モードと仕分けも行う仕分けモードの切り換えを行うことができる。１回の計数単位であるバッチ枚数についてはバッチ枚数キーを繰り返し押すと無表示，１０，２０，２５，５０，１００と変化するので、適当な枚数に設定することができる。スタッカは１００枚がフル収容である。またバッチ枚数は通常は１００に設定される。また、別途キーを押すと枠の中に何かが有ることを認識する有無認識レベルと○×記号を正確に認識できるレベルとを切り換えることができる。加算はホッパの投票用紙をすべて計数した後、その後の累積加算を行うか行わないかを選択するものである。また、以上のような各種設定内容を表示させて確認することも可能である。
【００５０】
設定モードを抜ける場合（ステップＳ１１２）には「クリア」キーを押下（ステップＳ１１３）することにより終了する。設定モードを抜けない場合にはステップＳ１０２の前に戻ることになる。
【００５１】
次に、国民審査の各種モードにおける動作について説明する。
【００５２】
前述したように、国民審査についての３つのモードのうち、設定により集計のみ登録すること（以下、Ａモードという）も、集計、分類１、分類２のいずれもが可能であるように登録すること（以下、Ｂモードという）もできる。ＡモードとＢモードの相違は、図１０に示されるように、計数対象に白票を含めるか否かと、スタッカの割り当てである。
【００５３】
すなわち、Ａモードでは、白票を含めた全投票用紙が計数対象となり、スタッカ７−１〜７−３はいずれも種々の×マークが記入された投票用紙が混在して収納され、スタッカ７−４に疑問票、読取不能票などが収納されるのに対し、Ｂモードでは、白票は取り除いた状態でホッパに投入され、スタッカ７−１には×マークが１つだけの投票用紙、スタッカ７−２には×マークが２の投票用紙、スタッカ７−３には×マークが３つの投票用紙、スタッカ７−４には疑問票、読取不能票などが収納される。
【００５４】
いずれのモードであっても計数前処理として人手により１枚ずつ投票用紙を開き、計数仕分機で読取りできるように表裏・天地が揃えられる。この際、疑問票のうちの無効票、例えば×以外の印が付けられたもの、枠外に×印が付けられたもの等については別に分離される。また、×が全くない全白票は通常約８５％に及ぶ上、見分けが容易であるため、上記Ｂモードの処理を行うためには、この前処理で除いておき、別途計数させることにより、集計効率を向上させることができる。
【００５５】
次に図１１のフローチャートおよび図１２〜２２の表示画面図等を参照して本発明の実施の一形態にかかる投票用紙計数仕分機における基本計数、仕分け動作を説明する。ここでは、加算がオンでバッチ枚数が１００に設定されている例を取り上げることとする。
【００５６】
電源を投入すると、初期化が行われ、その期間中図１２に示すようなイニシャル画面Ａが表示される。そして初期化終了後、以下の処理画面に移行する。なお、特に指定がないときには、デフォルトで国民審査・集計モードとなるようになっている。
【００５７】
ホッパに投票用紙が載せられたことが監視されており（ステップＳ２０１）、センサ等で表裏及び方向が揃えられた投票用紙が検知されたときには図１３に示すような画面Ｂにより、スタート可能であることが表示される。ここでは最高裁判所の裁判官の定員が１５名であることにより、最大１５名の表示が可能となっている。
【００５８】
スタート釦が押されたことの検知により（ステップＳ２０２）、投票用紙の繰出しが開始される（ステップＳ２０３）。ホッパに載せられる投票用紙は、前述したように、Ａモードの場合には白票を含み、Ｂモードの場合には白票を除いたものである。
【００５９】
繰り出された用紙はその記入内容が認識され、計数される（ステップＳ２０４）。すなわち、読取り用のタイミングセンサによりある瞬間、投票用紙の印記載欄を全て画像取込みし、ニューラルネットワークを用いた画像認識により、×印のついている位置（欄）を全て見つけ出し該当裁判官の数を計数する。ここで、認識できなかったもの、或いは、×印以外の印がついたもの等はリジェクトスタッカ７−４へ排除される。そしてこの認識結果に基づき投票用紙をその記入内容にしたがって該当するスタッカへ分類仕分けが行われる（ステップＳ２０５）。この仕分けにより、図１３の画面Ｂに示すように、裁判官別の×数の集計結果が表示される。
【００６０】
いずれかのスタッカが満杯（１００枚）に達しているか（ステップＳ２０６）、いずれかのスタッカがバッチ枚数に達したか（ステップＳ２０７）、ホッパ内が空になったか（ステップＳ２０８）が常時監視されている。
【００６１】
ホッパが空でない場合には停止釦が押されない限り（ステップＳ２３１）ステップＳ２０４に戻って処理が続行される。
【００６２】
スタッカが満杯でなく、バッチ枚数にも達せず、ホッパが空になったときには繰出しが停止される（ステップＳ２０９）。この時点でリジェクト用紙の有無が調べられ（ステップＳ２１０）、無ければ枚数表示を確認して（ステップＳ２１２）終了するが、リジェクト用紙がある時には、再計数を実行するときには（ステップＳ２１１）、リジェクト紙幣をホッパに戻してステップＳ２０１から再計数を行い、再計数を行わない場合にはリジェクトされた疑問票が有効票であるか否かを確認した上で枚数表示を確認して（ステップＳ２１２）終了する。
【００６３】
また、いずれかのスタッカが満杯になっていたり、いずれかのスタッカがバッチ枚数に達したときには繰出しが停止され（ステップＳ２２１）、該当するスタッカの横のＬＥＤ表示を点滅させる（ステップＳ２２２）。尚Ａモードのときにはスタッカ７−１から７−３まで全てが満杯になったとき、あるいはリジェクトスタッカ７−４が満杯になったときのみ繰出しが停止される。この点滅に応じて係員により該当スタッカから投票用紙が抜かれたことが検知されたときには（ステップＳ２２３）、ＬＥＤは消灯され（ステップＳ２２４）、繰出しが再開される。
【００６４】
なお、ホッパが空でないのに何らかの理由で係員等により停止釦が押されたとき（ステップＳ２３１）は、繰出しが停止され（ステップＳ２３２）、スタート釦が押されたときには繰出しが再開される（ステップＳ２２５）。
【００６５】
モードＡの場合、スタッカ７−１〜７−３への収納は投票用紙１枚ごとに順次スタッカを切り替えるようにするが、満杯になるごとに次のスタッカへ切り替えるようにしても良い。
【００６６】
投票用紙計数仕分機での動作終了後、枚数確認が係員により行われる。この確認は計数モードとして計数を行うか、他の計数機を用いて計数を行う。そして、開票所内の全データを集計して開票作業を終了する。
【００６７】
この結果、図１３に示されているような裁判官別の×数の集計が表示される。この状態でファンクションキーＦ１を押すと図１４および図１５画面Ｃ−１，Ｃ−２が表示される。これらは×の数による票の分布を表示するもので、ファンクションキーＦ２によりページが切り替えられる。なお、国民審査対象の裁判官の数が８人以下であるときには、１ページで収まるため、ページ表示はなく、ファンクションキーＦ２の位置もブランクとなる。
【００６８】
これらの画面でファンクションキーＦ１を押すと図１６および図１７の画面Ｄ−１，Ｄ−２に例示される裁判官別×数集計、すなわち各×数の中でその裁判官に対して×マークが付けられていた票の数が表示される。この画面は裁判官ごとに１頁が当てられる。
【００６９】
Ａモードの場合には、全ての集計処理が終了した後、もう一度上記操作を繰返して、確認をとり、同数であればＯＫとする。
【００７０】
Ｂモードの場合には、国民審査集計モードの集計が終了後、スタッカ７−１に収納された×の数が１の投票用紙は国民審査・分類１モードで、スタッカ７−３に収納された×の数が３以上の投票用紙は国民審査・分類２モードで、それぞれ分析が行われる。また、スタッカ７−２に収納された×の数が２の投票用紙は係員により内容確認が行われる。
【００７１】
集計モードから分類モード１への遷移、分類モード１から分類モード２への遷移は前述したようにテンキーパッド８中のモードキーを押下することに行うことができる。
【００７２】
これらの分類モードでの処理は図１１で示したフローチャートに準じて行われるが、両モードでのスタッカの割り当ての様子を図１９に示す。
【００７３】
同図から明らかなように、国民審査・分類１モードは、１×の投票用紙のみの分類処理である。認識結果により１回目は裁判官Ａから裁判官Ｃまでをスタッカ７−１からスタッカ７−３へ仕分け、その他の裁判官は全てスタッカ７−４へ収納する。なお、認識不能の投票用紙もスタッカ７−４へ入れる。この計数結果は図１９の画面Ｅ−１に示される。
【００７４】
２回目はスタッカ７−４に収納された投票用紙について同様の分類処理を行い、裁判官Ｄから裁判官Ｆをスタッカ７−１からスタッカ７−３へ仕分け、他の裁判官はスタッカ７−４へ収納する。この計数結果は図２０の画面Ｅ−２に示される。以下同様の処理を繰り返すことにより、×を１つだけ付けた有権者がどの裁判官に付けたかを知ることができる。
【００７５】
計数作業終了後のこれらのスタッカの収納内容は係員により点検され、別の計数機等で再度枚数を確認して枚数が確定される。そして、開票所内の全データを集計して開票作業が終了する。
【００７６】
国民審査・分類２モードは、１×、２×、全×、全白以外の投票用紙を仕分ける場合に用いる。まず、国民審査集計モードでスタッカ７−３に収納された×が３以上の投票用紙をホッパに入れ、３×から５×の投票用紙を認識してスタッカ７−１からスタッカ７−３へ仕分け、６×以上の投票用紙および認識不能の投票用紙をスタッカ４へ収納する。認識不能の投票用紙もスタッカ７−４へ入れる。この状態での計数結果は図２１の画面Ｆ−１に示される。
【００７７】
次にスタッカ７−４の投票用紙をホッパに載置し繰出して、６×から８×の投票用紙をスタッカ７−１からスタッカ７−３へ仕分け、他の９×以上はスタッカ７−４へ収納する。この状態での計数結果は図２２の画面Ｆ−２に示される。以下同様の処理を繰返すことにより、×を多数つけた場合の分布状況を知ることができる。
【００７８】
これらのスタッカの収納内容は係員により点検され、別の計数機等で再度枚数を確認して枚数が確定される。そして、開票所内の全データを集計して開票作業が終了する。
【００７９】
次に、分類２モードのときにモードキーを押すと選挙・分類モードとなるが、これは同一出願人の出願にかかる特願平７−２２２２６７号に詳述されているのでここでは省略する。
【００８０】
以上の実施の形態においては、スタッカの数は４であったが、この数は任意に増減させることができる。また、ホッパおよびスタッカの収容枚数は用途により任意に設計変更が可能である。
【００８１】
また、実施の形態では現在の裁判官数が１５名であることから読取り欄の認識数としては最大１５としているが、３０程度迄は可能である。
【００８２】
また、複数台の投票用紙計数仕分機を用意しておけば、例えば、国民審査・分類２モードを行なうときに、２×から４×を１台目で、５×から７×を２台目で、８×から１０×を３台目で、１１×から１３×を４台目で、１４×を５台目で行なうようにして、より迅速に処理が可能となる。
【００８３】
また、全白、全×、１×等は予め人手により除いておき、別途計数するようにしてもよい。
【００８４】
また、Ａモード、Ｂモードのときの、スタッカの割り当ては任意に変更できるものである。
【００８５】
さらに、以上の実施の形態は、国民審査を例にとって説明したが、手書きで記号等を記入するアンケート用紙等にも全く同様に適用することができる。この場合、複数のマークについてそれぞれ基準を設けるようにしても良い。
【００８６】
また、実施の形態では手書きマークとして×印を例にとって説明したが、○印をはじめとして各種のマークについても同様に適用することができる。
【００８７】
【発明の効果】
以上のように、本発明によれば、予めマーク記入欄が印刷された用紙を認識して計数および仕分けを行う際、手書きマークの特徴に応じて識別レベルを変更可能にしているため、記入されたマークの識別率を必要に応じて上昇させることができる。
【００８８】
特に、最高裁判所裁判官の国民審査の場合には識別レベルを上げることにより、民意をより正確に反映させることができる。
【図面の簡単な説明】
【図１】本発明の実施の一形態にかかる投票用紙計数仕分機の外観を示す斜視図である。
【図２】（ａ）は図１における操作部のパネル面を表す正面図であり、（ｂ）はテンキーパッドを表す正面図である。。
【図３】本発明にかかる投票用紙計数仕分機における動作モードの遷移を表す説明図である。
【図４】投票用紙の一例を示す説明図である。
【図５】本発明の実施の一形態における全体の内部構成を示す説明図である。
【図６】繰出部１１における構成の詳細を示す概略正面図である。
【図７】図６の概略平面図である。
【図８】設定操作の詳細を示すフローチャートである。
【図９】識別レベルの設定画面の例を示す図である。
【図１０】２つの登録モードの違いを説明する図表である。
【図１１】本発明の実施の一形態における計数、仕分け動作を説明するフローチャートである。
【図１２】初期画面を表す図である。
【図１３】集計モードにおける画面表示の例を示す図である。
【図１４】図１３の画面から切り替えた、×マーク数別の集計結果を表す画面の第１頁を示す図である。
【図１５】図１３の画面から切り替えた、×マーク数別の集計結果を表す画面の第２頁を示す図である。
【図１６】図１４あるいは図１５の画面から切り替えた、裁判官別×数別の集計結果を示す画面の第１頁を示す図である。
【図１７】図１４あるいは図１５の画面から切り替えた、裁判官別×数別の集計結果を示す画面の第２頁を示す図である。
【図１８】分類１モードと分類２モードの内容を比較する図表である。
【図１９】分類１モードにおける集計結果を示す画面の第１頁を示す図である。
【図２０】分類１モードにおける集計結果を示す画面の第２頁を示す図である。
【図２１】分類２モードにおける集計結果を示す画面の第１頁を示す図である。
【図２２】分類２モードにおける集計結果を示す画面の第２頁を示す図である。
【図２３】手書きマークの典型的な例のいくつかを示す説明図である。
【符号の説明】
１  本体
２  液晶表示部
３  スタート／ストップキー
４  ファンクションキー
５  ＬＥＤ表示器
６  ホッパ
７  スタッカ
８  テンキーパッド
１１  繰出部
１２  読取部
１３  判定部
１４  分類部
１５  制御部
１０３  キッカローラ
１０５  送りローラ
１０８  搬送ベルト
１１１  ロータリーエンコーダ
【図１】
0003607054.tif 000002
【図２】
0003607054.tif 000003
【図３】
0003607054.tif 000004
【図４】
0003607054.tif 000005
【図５】
0003607054.tif 000006
【図６】
0003607054.tif 000007
【図７】
0003607054.tif 000008
【図８】
0003607054.tif 000009
【図９】
0003607054.tif 000010
【図１０】
0003607054.tif 000011
【図１１】
0003607054.tif 000012
【図１２】
0003607054.tif 000013
【図１３】
0003607054.tif 000014
【図１４】
0003607054.tif 000015
【図１５】
0003607054.tif 000016
【図１６】
0003607054.tif 000017
【図１７】
0003607054.tif 000018
【図１８】
0003607054.tif 000019
【図１９】
0003607054.tif 000020
【図２０】
0003607054.tif 000021
【図２１】
0003607054.tif 000022
【図２２】
0003607054.tif 000023
【図２３】
0003607054.tif 000024